(57)【要約】【課題】設置した場合に使用時以外は省スペースに寄与し、また運搬を容易にするとともに、恒常的に設置した場合であってもセキュリティ面の問題が少ない昇降具を提供することを目的とする。【解決手段】少なくとも支柱及び足掛け部を有する昇降具において、使用時には当該足掛け部が引き出されて水平方向にセットされ、折り畳み時には上記支柱内部に当該足掛け部が折り畳まれる、等。【選択図】図１
2007138676.tif 000002
【特許請求の範囲】
【請求項１】
少なくとも支柱及び足掛け部を有する昇降具において、使用時には当該足掛け部が引き出されて水平方向にセットされ、折り畳み時には上記支柱内部に当該足掛け部が折り畳まれることを特徴とする昇降具。
【請求項２】
少なくとも１本の支柱及び足掛け部を有する昇降具において、使用時には当該足掛け部が上記支柱を中心として両側に引き出されて水平方向にセットされ、折り畳み時には上記支柱内部に当該足掛け部が折り畳まれることを特徴とする昇降具。
【請求項３】
少なくとも１本の支柱及び足掛け部を有する昇降具において、当該支柱は溝部分を有し、当該支柱内部には補助柱があり、当該補助柱にはバネで外側へ付勢された蝶番部と当該蝶番部を中心として外側へ回動可能な足掛け部が結合されており、前記支柱と上記補助柱のスライドにより前記支柱の溝部分と上記補助柱に結合された足掛け部の位置が一致した場合に当該足掛け部が支柱の外側へ開くことにより、当該足掛け部が水平方向にセットされ、前記支柱の溝部分と上記補助柱に結合された足掛け部の位置が異なる場合に当該足掛け部が折り畳まれることを特徴とする昇降具。
【請求項４】
少なくとも１本の支柱及び足掛け部を有する昇降具において、当該支柱は溝部分を有し、当該支柱内部には補助柱があり、当該補助柱には補助柱突起部があり、当該補助柱突起部には蝶番部と当該蝶番部を中心として回動可能な足掛け部が結合されており、前記支柱と上記補助柱のスライドにより上記足掛け部は溝部分の下側の縁に規制され当該足掛け部が支柱の外側へ開くことにより、当該足掛け部が水平方向にセットされ、上記規制がない場合に当該足掛け部が折り畳まれることを特徴とする昇降具。
【請求項５】
少なくとも１本の支柱及び足掛け部を有する昇降具において、当該支柱は溝部分を有し、当該支柱にはワイヤーと結合された蝶番部と当該蝶番部を中心として回動可能な足掛け部が結合されており、ワイヤーの他端から当該ワイヤーを押し出す又は引っ張ることにより当該足掛け部が支柱の外側へ開くことにより、当該足掛け部が水平方向にセットされ、またワイヤーの他端から当該ワイヤーを引っ張る又は押し出すことにより当該足掛け部が折り畳まれることを特徴とする昇降具。
【請求項６】
少なくとも支柱及び足掛け部を有する請求項１から請求項５までの昇降具において、足掛け部の先端に嵌合部を設け、当該昇降具と他の昇降具とを結合しうることを特徴とする昇降具。
【請求項７】
少なくとも支柱及び足掛け部を有する請求項１から請求項５までの昇降具において、当該昇降具を折り畳み状態または使用時の状態でロックしうることを特徴とする昇降具。
【発明の詳細な説明】
【技術分野】
【０００１】  本発明は、昇降具に関するものであり、更に詳しくは、少なくとも支柱及び足掛け部を有する昇降具に関する。
【背景技術】
【０００２】  従来より、高所へ登ったり、高所から降りたりする場合には梯子等の昇降具がしばしば用いられる。【０００３】  この昇降具の例としては梯子が挙げられるが、例えば、特開２００１−１５９２８６号公報（特許文献１）には、梯子の一例が示されている。【特許文献１】特開２００１−１５９２８６号公報
【発明の開示】
【発明が解決しようとする課題】
【０００４】  しかし、上記従来の梯子では次の問題があった。すなわち、従来の梯子においては、２本の支柱に足掛け部を渡した形状をしていて、一定の幅を持ち、多くのスペースをとり、省スペースの面から問題があった。【０００５】  また、同様の理由から当該梯子はかさばるため、運搬が大変であるという問題があった。【０００６】  また、緊急時の避難のため等の理由で、梯子を建物へ恒常的に据付けておく場合も存在するが、恒常的に梯子を据え付けておく場合、侵入者が当該梯子を使用し、外部から建造物の中に侵入するおそれが生じるため、セキュリティの面で問題があった。【０００７】  よって本発明は、上記の問題点に鑑みてなされたものであり、その目的とする所は、設置した場合に使用時以外は省スペースに寄与し、また運搬を容易にするとともに、恒常的に設置した場合であってもセキュリティ面の問題が少ない昇降具を提供することを目的とする。
【課題を解決するための手段】
【０００８】  上記の課題は、例えば、図１等の構成により解決される。即ち、本発明（１）の昇降具は、少なくとも支柱及び足掛け部を有する昇降具において、使用時には当該足掛け部が引き出されて水平方向にセットされ、折り畳み時には上記支柱内部に当該足掛け部が折り畳まれるものである。【０００９】  また、本発明（２）の昇降具は、少なくとも１本の支柱及び足掛け部を有する昇降具において、使用時には当該足掛け部が上記支柱を中心として両側に引き出されて水平方向にセットされ、折り畳み時には上記支柱内部に当該足掛け部が折り畳まれるものである。【００１０】  また、本発明（３）の昇降具は、少なくとも１本の支柱及び足掛け部を有する昇降具において、当該支柱は溝部分を有し、当該支柱内部には補助柱があり、当該補助柱にはバネで外側へ付勢された蝶番部と当該蝶番部を中心として外側へ回動可能な足掛け部が結合されており、前記支柱と上記補助柱のスライドにより前記支柱の溝部分と上記補助柱に結合された足掛け部の位置が一致した場合に当該足掛け部が支柱の外側へ開くことにより、当該足掛け部が水平方向にセットされ、前記支柱の溝部分と上記補助柱に結合された足掛け部の位置が異なる場合に当該足掛け部が折り畳まれるものである。【００１１】  また、本発明（４）の昇降具は、少なくとも１本の支柱及び足掛け部を有する昇降具において、当該支柱は溝部分を有し、当該支柱内部には補助柱があり、当該補助柱には補助柱突起部があり、当該補助柱突起部には蝶番部と当該蝶番部を中心として回動可能な足掛け部が結合されており、前記支柱と上記補助柱のスライドにより上記足掛け部は溝部分の下側の縁に規制され当該足掛け部が支柱の外側へ開くことにより、当該足掛け部が水平方向にセットされ、上記規制がない場合に当該足掛け部が折り畳まれるものである。【００１２】  また、本発明（５）の昇降具は、少なくとも１本の支柱及び足掛け部を有する昇降具において、当該支柱は溝部分を有し、当該支柱にはワイヤーと結合された蝶番部と当該蝶番部を中心として回動可能な足掛け部が結合されており、ワイヤーの他端から当該ワイヤーを押し出す又は引っ張ることにより当該足掛け部が支柱の外側へ開くことにより、当該足掛け部が水平方向にセットされ、またワイヤーの他端から当該ワイヤーを引っ張る又は押し出すことにより当該足掛け部が折り畳まれるものである。【００１３】  好ましくは、本発明（６）の昇降具は、少なくとも支柱及び足掛け部を有する本発明（１）から本発明（５）までの昇降具において、足掛け部の先端に嵌合部を設け、当該昇降具と他の昇降具とを結合しうるものである。【００１４】  好ましくは、本発明（７）の昇降具は、少なくとも支柱及び足掛け部を有する本発明（１）から本発明（５）までの昇降具において、当該昇降具を折り畳み状態または使用時の状態でロックしうるものである。
【発明の効果】
【００１５】  本発明（１）によれば、設置した場合に使用時以外は省スペースに寄与し、また運搬を容易にする昇降具を提供することが可能となる。【００１６】  本発明（２）によれば、設置した場合に使用時以外は省スペースに寄与し、また運搬を容易にする昇降具を提供することが可能となる。【００１７】  本発明（３）によれば、設置した場合に使用時以外は省スペースに寄与し、また運搬を容易にする昇降具を提供することが可能となる。また、ワンタッチで各々の足掛け部を一度にセットできるため、きわめて有益な技術を提供することが可能となる。【００１８】  本発明（４）によれば、設置した場合に使用時以外は省スペースに寄与し、また運搬を容易にする昇降具を提供することが可能となる。また、ワンタッチで各々の足掛け部を一度にセットできるため、きわめて有益な技術を提供することが可能となる。【００１９】  本発明（５）によれば、設置した場合に使用時以外は省スペースに寄与し、また運搬を容易にする昇降具を提供することが可能となる。また、ワンタッチで各々の足掛け部を一度にセットできるため、きわめて有益な技術を提供することが可能となる。【００２０】  本発明（６）によれば、本昇降具Ｌを２本使用すれば、従来の梯子としても使用できるという効果を奏するとともに、収納時はコンパクトでありながら、多人数が同時に昇降動作を行うことができ、また多くの人々の避難動作等が可能となり、安全面からも大いなるメリットを有することとなり、また、この使用形態により、一種の運動場等にある遊具としての利用価値も生みうることとなるため、きわめて有益な技術を提供することが可能となる。【００２１】  本発明（７）によれば、恒常的に設置した場合であってもセキュリティ面の問題が少ない昇降具を提供することが可能となる。
【発明を実施するための最良の形態】
【００２２】  以下、添付図面に従って本発明を実施するための最良の形態について説明する。尚、全図を通して同一符号は同一又は相当部分を示すものとする。そしてその内容は、以下に示す実施例に記載するとおりである。
【実施例１】
【００２３】  図１は、本発明の実施例１における昇降具の外観を示す図である。この中で、図１（ａ）は折り畳み時の当該昇降具の外観であり、図１（ｂ）は使用時の当該昇降具の外観である。【００２４】  また、図２は、図１に示す本発明の実施例１における昇降具の構造を示す図である。この中で、図２（ａ）は折り畳み時の当該昇降具の構造を示す図であり、図２（ｂ）は使用時の当該昇降具の構造を示す図である。【００２５】  図１及び図２において、Ｌは当該昇降具を示す。また１０は支柱、１５は支柱内に設けられた溝部分であり、２０は足掛け部、２５は蝶番部である。尚、当該昇降具Ｌを使用する際に２０の足掛け部は足だけでなく手、またはその他の体の部位等を掛ける場合が存在するが、便宜上、足掛け部と呼ぶこととする。【００２６】  本実施例１においては、図１に示すとおり、支柱１０は正方形または長方形を底面とする柱状の形態である。そしてその４つの側面のうち、１組の相対する２つの側面の表面には、長方形の溝部分１５が、１つ以上順に整列して刻まれている。そしてその刻まれた溝部分１５には、足掛け部２０が収納可能な形態となっている。【００２７】  図１（ａ）は折り畳み時の当該昇降具Ｌの外観図であるが、このときは当該足掛け部２０が上記溝部分１５に収納されている。当該足掛け部２０が上記溝部分１５に収納されているとき、当該昇降具Ｌは正方形または長方形を底面とする一本の柱状（本実施例１においては直方体）となる。もっとも若干の凹凸程度は生じても構わない。この状態では、当該昇降具Ｌは収納に容易な状態となる。【００２８】  一方、図１（ｂ）は使用時の当該昇降具Ｌの外観図であるが、このときは使用者によって各足掛け部２０が上記溝部分１５から引き出されて、柱状の支柱１０と各足掛け部２０が引き出され、水平方向にセットされる。使用者はこの状態で当該昇降具Ｌを使用することとなる。使用者は支柱１０を建物等の外壁等にたてかけるか、支柱１０はあらかじめ建物等の外壁等に固定して設置されるか、または建物等の外壁等に当該支柱１０設置用の部材を設置しておき、これと当該支柱１０を嵌めあわせることにより、当該昇降具Ｌを使用する。また、最下段の足掛け部２０を前記支柱１０の下端の高さと一致させること等により、当該昇降具Ｌの設置状態を安定させることが可能となる。【００２９】  この構造は図２のようになる。折り畳み時には図２（ａ）に示すとおり、溝部分１５に沿うように足掛け部２０は収納されるが、この収納された部分の下側は蝶番部２５によって支柱１０と結合されている。これにより、図２（ａ）に示す折り畳み時の位置から、図２（ｂ）に示す使用時の位置まで、当該足掛け部２０は蝶番部２５を中心として回動することとなる。このようにして折り畳み時における足掛け部２０の折り畳み（収納）と使用時における足掛け部２０の引き出し（セット）を実現している。【００３０】  このようにして、掛け部２０がセットされたならば、当該昇降具Ｌは使用時の状態となり、足使用者はこの足掛け部２０に手や足などをかけ昇降できることとなる。【００３１】  尚、上記実施例１においては、正方形または長方形を底面とするものを挙げたが、底面が円形やその他の形状であっても本発明が成立しうることは言うまでもない。【００３２】  以上、本発明の実施例１によれば、当該昇降具Ｌの使用をしない折り畳み時には、支柱１０に足掛け部２０が収納され一本の棒状の器具となる。よって、折り畳み時には、従来の一般の梯子のような横幅を持たず、省スペースに寄与し、効率的な収納を行うことが可能となる。【００３３】  また、同様の理由から当該昇降具Ｌはまったくかさばらないため、運搬も容易であると利点が備わることとなる。【００３４】  さらに、緊急時の避難のため等の理由で、当該昇降具Ｌを建物へ恒常的に据付けておく場合も存在するが、恒常的に当該昇降具Ｌを据え付けておく場合、当該昇降具Ｌを折り畳み時の位置に設定しておき、当該昇降具Ｌの支柱１０の側面全面に例えばロープ等を巻きつけて固定しておけば、侵入者が当該昇降具Ｌを使用し、外部から建造物の中に侵入するおそれは少なくなり、セキュリティの面は向上する。【００３５】  よって本発明の実施例１によれば、設置した場合に使用時以外は省スペースに寄与し、また運搬を容易にするとともに、恒常的に設置した場合であってもセキュリティ面の問題が少ない昇降具を提供することが可能となり、非常に有益である。
【実施例２】
【００３６】  図３及び図４は、本発明の実施例２における昇降具の外観を示す図である。ここで図３は引き上げ型の昇降具であり、図４は押し下げ型の昇降具である。この中で、図３（ａ）は折り畳み時の当該昇降具（引き上げ型）の外観であり、図３（ｂ）は使用時の当該昇降具（引き上げ型）の外観である。また、図４（ａ）は折り畳み時の当該昇降具（押し下げ型）の外観であり、図４（ｂ）は使用時の当該昇降具（押し下げ型）の外観である。【００３７】  また、図５は、図３に示す引き上げ型、図４に示す押し下げ型共通の、本発明の実施例２における昇降具の構造を示す図である。この中で、図５（ａ）は折り畳み時の当該昇降具の構造を示す図であり、図５（ｂ）は使用時の当該昇降具の構造を示す図である。  図３、図４及び図５において、Ｌは当該昇降具を示す。また１０は支柱であるが、図５に示すとおり支柱の内部は左右一対で一部空洞となっており、その空洞部分には、補助柱１１が支柱１０とスライド可能な形で埋め込まれている。補助柱１１は左右一対であるが、この左右一対の補助柱１１は別個独立にスライドさせてもよいし、一方で、左右一対の補助柱１１に図示しない連動部を設けるとともに支柱１０の内部にさらに空洞を設けて、左右一対の補助柱１１を一体のものとして同時に連動させてもよい。【００３８】  また、１５は支柱１０内に設けられた溝部分であるが、本実施例２において当該溝部分１５は支柱１０をくりぬいた窓の形となっており、折り畳み時にはここからは補助柱１１の側面がのぞくこととなる。【００３９】  さらに、１７は支柱内に設けられたスライド制御用溝部である。スライド制御用溝部１７もやはり支柱１０をくりぬいた窓の形となっているが、ここからは足掛け部２０は出てこないが、かわりに補助柱１１に突起状に設けられた補助柱つまみ部１６がこのスライド制御用溝部１７から露出している。そして補助柱つまみ部１６を人間の手によって上下させることにより、前記スライド制御用溝部１７をレールとしてこれに拘束されながら、補助柱つまみ部１６は上下する。これにより、支柱１０と補助柱１１の位置関係に関して、これらを相互にスライドさせることができるようになっている。【００４０】  また、１８はいわゆる鍵穴であり、これは補助柱つまみ部１６に設置されている。この鍵穴１８に図示しない鍵を差込み、鍵を回転させると、図示しないつっかえ棒が、補助柱１１側から支柱１０に設けた図示しない穴方向へ出て補助柱１１と支柱１０のスライドを防ぎ一体化させる。すなわち補助柱１１と支柱１０をロックするということになる。【００４１】  また２０は足掛け部、２５は蝶番部である。尚、当該昇降具Ｌを使用する際に２０の足掛け部は足だけでなく手、またはその他の体の部位等を掛ける場合が存在するが、便宜上、足掛け部と呼ぶこととするのは実施例１と同様とする。【００４２】  本実施例２においては、図５のような構造をとる。補助柱１１内に補助柱溝部分１９を設け、それぞれの補助柱１１における支柱１０の溝部分１５側には、当該補助柱溝部分１９が、１つ以上順に整列して刻まれている。そしてその刻まれた補助柱溝部分１９に、足掛け部２０が収納可能な状態で装着されている。【００４３】  支柱１０と補助柱１１の関係が図５（ａ）に示す位置関係にある場合、補助柱溝部分１９に沿うように足掛け部２０は収納される。また、この収納された部分の下側は蝶番部２５によって補助柱１１と結合されている。そしてその蝶番部２５には図示しないバネ（ゴム）等の弾性体によって、補助柱１１の外側（支柱１０側）へ付勢される構造となっていて、何らの障害物がない場合、この付勢力によって前記足掛け部２０は蝶番部２０を中心として外側へ回動して開くこととなる。【００４４】  以上の構成をもって、本発明の実施例２においては次のように使用される。図３に示す引き上げ型では補助柱つまみ部１６が下側にあるとき、また図４に示す押し下げ型では補助柱つまみ部１６が上側にあるときが、当核昇降具Ｌのそれぞれ折り畳み時の状態であり、この状態は、図３（ａ）、図４（ａ）及び図５（ａ）に示される。このときは、図５（ａ）によって理解できるように補助柱１１に存在する上記各々の補助柱溝部分１９の外側には支柱１０の内壁があり、これによって当該補助柱溝部分１９は蓋をされているような状態となっている。このとき、上述したとおり蝶番部２５は常に外側（支柱１０側）へ付勢されているが、支柱１０の内壁により、足掛け部２０は内側へおさえられているため、依然として当該補助柱溝部分１９の中に足掛け部２０は収納されたままであり、支柱１０にある溝部分１５からは補助柱１１の外壁が見えるだけである。【００４５】  このときは、当該昇降具Ｌは折り畳み時の状態、すなわち、外形は概ね支柱１０の外形に近い柱状の状態に維持されることとなり、収納に容易な状態となる。【００４６】  一方、図３に示す引き上げ型では補助柱つまみ部１６が上側にあるとき、また図４に示す押し下げ型では補助柱つまみ部１６が下側にあるときが、当該昇降具Ｌのそれぞれ使用時の状態であり、この状態は、図３（ｂ）、図４（ｂ）及び図５（ｂ）に示される。このときは、図５（ｂ）によって理解できるように補助柱１１に存在する上記おのおのの補助柱溝部分１９の位置は支柱１０内に設けられた溝部分１５の位置と一致している。すなわち、図３に示す引き上げ型では、スライド制御用溝部１７で補助柱つまみ部１６をスライドして引き上げることにより、図４に示す押し下げ型では、スライド制御用溝部１７で補助柱つまみ部１６をスライドして押し下げることにより、柱の高さ方向における支柱１０と補助柱１１の位置関係をスライドすることができ、そのスライドによって、上記、補助柱１１に存在する補助柱溝部分１９の位置（ひいては足掛け部２０の位置）と支柱１０内にある溝部分１５の位置とが一致することとなる。【００４７】  よって、折り畳み時のように支柱１０の内壁が足掛け部２０の動きを妨げることはなく、また上述したとおり蝶番部２５は常に外側（支柱１０側）へ付勢されているため、図３（ｂ）、図４（ｂ）及び図５（ｂ）に示すとおり、足掛け部２０は蝶番部２５に加わる付勢力によって、支柱１０の外側へ開く。このとき、支柱１０を正面からみたときの右側の足掛け部２０は右側に、左側の足掛け部２０は左側に開くため、支柱１０を中心として両側に、足掛け部２０が水平方向にセットされることとなる。【００４８】  また、補助柱１１の高さ��向における当該補助柱溝部分１９及び足掛け部２０の取り付け間隔と支柱１０の高さ方向における溝部分１５の間隔は等しくしていて、かつ、これらを１対１に対応するようにしているため、補助柱１１に存在する補助柱溝部分１９の位置と支柱１０内にある溝部分１５の位置とが一致するときがすべて同時となり、すべての足掛け部２０が同時に水平方向に開き、セットされることとなる。【００４９】  このようにして、足掛け部２０がセットされたならば、当該昇降具Ｌは使用時の状態となり、使用者はこの足掛け部２０に手や足などをかけ昇降できることとなる。【００５０】  一方、使用者が再び、図３に示す引き上げ型では補助柱つまみ部１６を下側に移動させ、また、図４に示す押し下げ型では補助柱つまみ部１６を上側に移動させた場合は、再び支柱１０と補助柱１１の位置関係がスライドすることとなる。そのスライドによって、上記、補助柱１１に存在する補助柱溝部分１９の位置（ひいては足掛け部２０の位置）と支柱１０内にある溝部分１５の位置とが異なることとなる。これにより、再び当該昇降具Ｌは折り畳み時の状態になり、前記足掛け部２０は折り畳まれ、図３（ａ）、図４（ａ）及び図５（ａ）に示される折り畳み状態へ再び遷移することとなる。【００５１】  このように、本発明の実施例２においては、補助柱つまみ部１６をスライドさせることにより、支柱１０と補助柱１１の位置関係をスライドさせ、この結果、弾性体で付勢された蝶番部２５を通じて足掛け部２０の引き出し（セット）を実現しているのである。【００５２】  また、上述のとおり、補助柱つまみ部１６には鍵穴１８が設置されていて、この鍵穴１８に図示しない鍵を差込み、鍵を回転させると、補助柱１１と支柱１０をロックする。これにより、当該昇降具Ｌの折り畳み時に鍵をかけると外形は概ね支柱１０の外形に近い柱状の状態、すなわち収納に容易な状態（折り畳み状態）でロックされる。これにより、当該鍵穴１８に合致する鍵をもっている人しか当該昇降具Ｌを使用時の状態へセットすることができない。また、使用時に鍵をかけると使用時の状態でロックされるため、安定な状態で使用することができる。【００５３】  尚、上記実施例２においては、正方形または長方形を底面とするものを挙げたが、底面が円形やその他の形状であっても本発明が成立しうることは言うまでもない。【００５４】  また、同様の効果は、支柱１０及び補助柱１１を同心円状の底面を持つ柱状に形成し、補助柱の側面に溝部分１５、補助柱溝部分１９、足掛け部２０、蝶番部２５等を装着することによっても実現できる。このとき、前記スライド制御用溝部１７は支柱１０の側面の回転方向に刻まれ、鍵穴１８が設置された補助柱つまみ部１６は回転方向にスライドさせることにより、支柱１０と補助柱１１を回転方向にスライドさせる。この回転方向のスライドで補助柱１１に存在する補助柱溝部分１９等の位置と支柱１０内にある溝部分１５の位置と一致状態または不一致の状態に切り替えることにより、足掛け部２０の引き出し（セット）と収納（折り畳み）が実現でき、上述した高さ方向にスライドする例と同様の効果を奏させることができる。【００５５】  以上、本発明の実施例２によれば、当該昇降具Ｌの使用をしない折り畳み時には、支柱１０に足掛け部２０が収納され一本の棒状の器具となる。よって、折り畳み時には、従来の一般の梯子のような横幅を持たず、省スペースに寄与し、効率的な収納を行うことが可能となる。【００５６】  また、同様の理由から当該昇降具Ｌはまったくかさばらないため、運搬も容易であると利点が備わることとなる。【００５７】  さらに、緊急時の避難のため等の理由で、当該昇降具Ｌを建物へ恒常的に据付けておく場合も存在するが、恒常的に当該昇降具Ｌを据え付けておく場合、当該昇降具Ｌを折り畳み時の位置に設定しておき、鍵をかけて固定しておけば、侵入者が当該昇降具Ｌを使用し、外部から建造物の中に侵入するおそれは少なくなり、セキュリティの面は向上する。【００５８】  また使用時に鍵をかけておけば安定な状態で使用することができる。【００５９】  よって本発明の実施例２によれば、設置した場合に使用時以外は省スペースに寄与し、また運搬を容易にするとともに、恒常的に設置した場合であってもセキュリティ面の問題が少ない昇降具を提供することが可能となり、非常に有益である。【００６０】  また本発明の実施例２によれば、補助柱つまみ１６をスライドさせることにより、ワンタッチで各々の足掛け部２０を一度にセットできるため、きわめて有益な技術を提供することが可能となる。
【実施例３】
【００６１】  図６は、本発明の実施例３における昇降具の外観を示す図である。この中で、図６（ａ）は折り畳み時の当該昇降具の外観であり、図６（ｂ）は使用時の当該昇降具の外観である。【００６２】  また、図７は、図６に示す本発明の実施例３における昇降具の構造を示す図である。この中で、図７（ａ）は折り畳み時の当該昇降具の構造を示す図であり、図７（ｂ）は使用時の当該昇降具の構造を示す図である。【００６３】  図６及び図７において、Ｌは当該昇降具を示す。また１０は支柱であるが、図７に示すとおり支柱の内部は中心部分が一部空洞となっており、その空洞部分には、補助柱１１が支柱１０とスライド可能な形で埋め込まれている。【００６４】  また、１５は支柱１０内に設けられた溝部分であるが、本実施例３において当該溝部分１５は支柱１０をくりぬいた窓の形となっているが、後述するように、折り畳み時にはここからは主として足掛け部２０がのぞくこととなる。【００６５】  さらに、１７は支柱内に設けられたスライド制御用溝部である。スライド制御用溝部１７もやはり支柱１０をくりぬいた窓の形となっているが、ここからは足掛け部２０は出てこないが、かわりに補助柱１１に突起状に設けられた補助柱つまみ部１６がこのスライド制御用溝部１７から露出している。そして補助柱つまみ部１６を人間の手によって上下させることにより、前記スライド制御用溝部１７をレールとしてこれに拘束されながら、補助柱つまみ部１６は上下する。これにより、支柱１０と補助柱１１の位置関係に関して、これらを相互にスライドさせることができるようになっている。【００６６】  また、１８はいわゆる鍵穴であり、これは補助柱つまみ部１６に設置されている。この鍵穴１８に図示しない鍵を差込み、鍵を回転させると、図示しないつっかえ棒が、補助柱１１側から支柱１０に設けた図示しない穴方向へ出て補助柱１１と支柱１０のスライドを防ぎ一体化させる。すなわち補助柱１１と支柱１０をロックするということになる。【００６７】  また２０は足掛け部、２５は蝶番部である。尚、当該昇降具Ｌを使用する際に２０の足掛け部は足だけでなく手、またはその他の体の部位等を掛ける場合が存在するが、便宜上、足掛け部と呼ぶこととするのは実施例１や２と同様とする。【００６８】  本実施例３においては、図７のような構造をとる。補助柱１１内には、補助柱１１の高さ方向に垂直な方向に左右にそれぞれ補助柱突起部２６を設ける。当該補助柱突起部２６は支柱１０の溝部分１５と１対１の関係で設けられている。そしてその補助柱突起部２６は、支柱１０と補助柱１１のスライドに対応して、対応する溝部分１５の端から端まで移動しうる。【００６９】  そしてその補助柱突起部２６には蝶番部２５を介して、当該蝶番部２５を中心として足掛け部２０が回動可能な状態で結合されている。この蝶番部２５には、図７（ａ）に示すとおり足掛け部２０が支柱１０や補助柱１１の高さ方向であって、かつ図中下を向くように、バネやゴム等の弾性体で付勢してもよいが、この力は重力で代用しても構わない。また、足掛け部２０のスムーズな動きを確保するため、足掛け部２０の先端は丸みを帯びた形状となっている。【００７０】  以上の構成をもって、本���明の実施例３においては次のように使用される。今、図６（ａ）に示すとおり、補助柱つまみ部１６がスライド制御用溝部１７の上側にあるときが当該昇降具Ｌの折り畳み時である。折り畳み時には足掛け部２０は支柱１０の溝部分１５の中に収納された形となっている。このとき、図７（ａ）に示すとおり、補助柱１１にある各々の補助柱突起部２６は、いずれも支柱１０の各々の溝部分１５の上側にある。そして、そこから蝶番部２５を介して結合されている足掛け部２０は、蝶番部２５に付された付勢力または重力によって支柱１０や補助柱１１の高さ方向かつ下向きに向くので、支柱１０に設けられた溝部分１５に当該足掛け部２０は収納される。よってこのとき、支柱１０の溝部分１５を外からみると前記足掛け部２０が収納されたところが見えることとなる。【００７１】  このときは、当該昇降具Ｌは折り畳み時の状態、すなわち、外形は概ね支柱１０の外形に近い柱状の状態に維持されることとなり、収納に容易な状態となる。【００７２】  一方、図６（ｂ）に示すとおり、補助柱つまみ部１６がスライド制御用溝部１７の下側にあるときが当該昇降具Ｌの使用時である。このとき、支柱１０に対して補助柱１１は相対的に押し下げられるわけであるから、図７（ｂ）に示すとおり、補助柱１１にある各々の補助柱突起部２６は、いずれも支柱１０の各々の溝部分１５の下側に来る。そして、そこから蝶番部２５を介して結合されている足掛け部２０は、溝部分１５の下側の縁に規制され、かつ、足掛け部２０の先端は丸みを帯びた形状となっていることから、各々の足掛け部２０は、支柱１０や補助柱１１の高さ方向に垂直な方向、かつ、当該支柱１０や補助柱１１の外側へ向けて開くこととなる。このとき、支柱１０を正面からみたときの右側の足掛け部２０は右側に、左側の足掛け部２０は左側に開くため、支柱１０を中心として両側に、足掛け部２０が水平方向にセットされることとなる。【００７３】  また、補助柱１１の高さ方向における当該補助柱突起部２６及び足掛け部２０の取り付け間隔と支柱１０の高さ方向における溝部分１５の間隔は等しくしていて、かつ、これらを１対１に対応するようにしているため、補助柱１１に存在する補助柱突起部２６の位置と支柱１０内にある溝部分１５の位置関係はすべて一致するため、すべての足掛け部２０が水平方向にセットされることとなる。【００７４】  このようにして、足掛け部２０がセットされたならば、当該昇降具Ｌは使用時の状態となり、使用者はこの足掛け部２０に手や足などをかけ昇降できることとなる。【００７５】  一方、使用者が再び、補助柱つまみ部１６を上側に移動させた場合は、再び支柱１０と補助柱１１の位置関係がスライドすることとなる。これにより、上記足掛け部は溝部分１５の下側の縁による規制がなくなるため、再び当該昇降具Ｌは折り畳み時の状態になり、前記足掛け部２０は折り畳まれ、図６（ａ）及び図７（ａ）に示される折り畳み状態へ再び遷移することとなる。【００７６】  このように、本発明の実施例３においては、補助柱つまみ部１６をスライドさせることにより、支柱１０と補助柱１１の位置関係をスライドさせ、この結果、溝部分１５の下側の縁の規制や、かつ、足掛け部２０の先端の���みを帯びた形状を利用して、蝶番部２５を通じて足掛け部２０の収納や引き出し（セット）を実現しているのである。【００７７】  また、本発明の実施例３においても上述のとおり、補助柱つまみ部１６には鍵穴１８が設置されていて、この鍵穴１８に図示しない鍵を差込み、鍵を回転させると、補助柱１１と支柱１０をロックする。これにより、当該昇降具Ｌの折り畳み時に鍵をかけると外形は概ね支柱１０の外形に近い柱状の状態、すなわち収納に容易な状態（折り畳み状態）でロックされる。これにより、当該鍵穴１８に合致する鍵をもっている人しか当該昇降具Ｌを使用時の状態ヘセットすることができない。また、使用時に鍵をかけると使用時の状態でロックされるため、安定な状態で使用することができる。【００７８】  尚、上記実施例３においては、正方形または長方形を底面とするものを挙げたが、底面が円形やその他の形状であっても本発明が成立しうることは言うまでもない。【００７９】  以上、本発明の実施例３によれば、本発明の実施例２等と同様な効果が得られ、非常に有益である。
【実施例４】
【００８０】  本発明の実施例４における昇降具は機構ワイヤー式または電気ワイヤー式における昇降具であり、図８は、本発明の実施例４における昇降具の外観を示す図であり、この図は機構ワイヤー式または電気ワイヤー式において共通である。この中で、図８（ａ）は折り畳み時の当該昇降具の外観であり、図８（ｂ）は使用時の当該昇降具の外観である。また図９は、本発明の実施例４における機構ワイヤー式の昇降具の構造を示す図である。この中で、図９（ａ）は折り畳み時の当該昇降具の構造を示す図であり、図９（ｂ）は使用時の当該昇降具の構造を示す図である。図１０は、本発明の実施例４における電気ワイヤー式の昇降具の構造を示す図である。この中で、図１０（ａ）は折り畳み時の当該昇降具の構造を示す図であり、図１０（ｂ）は使用時の当該昇降具の構造を示す図である。【００８１】  図８、図９及び図１０において、Ｌは当該昇降具を示す。また１０は支柱であるが、図９及び図１０に示すとおり支柱の内部は中心部分が一部空洞となっており、その空洞部分には、補助柱１１が支柱１０とスライド可能な形で埋め込まれている。【００８２】  また、１５は支柱１０内に設けられた溝部分であるが、本実施例４において当該溝部分１５は支柱１０をくりぬいた窓の形となっているが、後述するように、折り畳み時にはここからは主として足掛け部２０がのぞくこととなる。【００８３】  さらに、１７は支柱内に設けられたスライド制御用溝部である。スライド制御用溝部１７もやはり支柱１０をくりぬいた窓の形となっているが、ここからは足掛け部２０は出てこないが、かわりに補助柱１１に突起状に設けられた補助柱つまみ部１６がこのスライド制御用溝部１７から露出している。そして補助柱つまみ部１６を人間の手によって上下させることにより、前記スライド制御用溝部１７をレールとしてこれに拘束されながら、補助柱つまみ部１６は上下する。すなわち、この結果、支柱１０と補助柱１１の位置関係に関して、これらは相互にスライドさせることができるようになっている。但し、本発明の実施例２、本発明の実施例３に比べて、本発明の実施例４ではそのスライド距離は少ない。【００８４】  また、１８はいわゆる鍵穴であり、これは補助柱つまみ部１６に設置されている。この鍵穴１８に図示しない鍵を差込み、鍵を回転させると、図示しないつっかえ棒が、補助柱１１側から支柱１０に設けた図示しない穴方向へ出て補助柱１１と支柱１０のスライドを防ぎ一体化させる。すなわち補助柱１１と支柱１０をロックするということになる。【００８５】  また２０は足掛け部、２５は蝶番部である。尚、当該昇降具Ｌを使用する際に２０の足掛け部は足だけでなく手、またはその他の体の部位等を掛ける場合が存在するが、便宜上、足掛け部と呼ぶこととするのは実施例１から３までと同様とする。【００８６】  本実施例４においては、機構ワイヤー式では図９のような構造をとる。補助柱１１内には、補助柱１１の高さ方向に垂直な方向に左右にそれぞれ補助柱突起部２６を設ける。当該補助柱突起部２６は支柱１０の溝部分１５と１対１の関係で設けられている。そしてその補助柱突起部２６は、支柱１０と補助柱１１のスライドに対応して、対応する溝部分１５の下���から下端の少し上まで移動しうる。そしてその補助柱突起部２６の下部にはワイヤー２７の一端がそれぞれ設置かつ固定されている。【００８７】  一方、足掛け部２０は蝶番部２５を介して回動可能な状態で結合されているが、この足掛け部２０は支柱１０との間で結合される点が上記本発明の実施例２、上記本発明の実施例３とは異なる点である。そしてその蝶番部２５はワイヤー２７と結合されている点が、本実施例４の特徴的な点である。ワイヤー２７が支柱１０の内側へ引っ張られると、蝶番部２５は足掛け部２０が外側へ回転して開く方向へ動く。また、足掛け部２０のスムーズな動きを確保するため、足掛け部２０の先端は丸みを帯びた形状となっている。【００８８】  以上の構成をもって、本実施例４における機構ワイヤー式では次のように使用される。今、図８（ａ）に示すとおり、補助柱つまみ部１６がスライド制御用溝部１７の下側にあるときが当該昇降具Ｌの折り畳み時である。折り畳み時には足掛け部２０は支柱１０の溝部分１５の中に収納された形となっている。このとき、図９（ａ）に示すとおり、補助柱１１にある各々の補助柱突起部２６は、いずれも支柱１０の各々の溝部分１５の下端にある。この結果、補助柱突起部２６は蝶番部２５に結合されているワイヤー２７を押し出す。押し出すことにより、蝶番部２５には足掛け部２０が前記補助柱１１へ向かう方向（内向き）に回転力がかかる。この結果、足掛け部２０は補助柱１１へ向かう方向（内向き）に回転し、支柱１０や補助柱１１とほぼ平行な位置まで回転し、支柱１０や補助柱１１の高さ方向かつ上向きに向くので、支柱１０に設けられた溝部分１５に当該足掛け部２０は収納される。よってこのとき、支柱１０の溝部分１５を外からみると前記足掛け部２０が収納されたところが見えることとなる。【００８９】  このときは、当該昇降具Ｌは折り畳み時の状態、すなわち、外形は概ね支柱１０の外形に近い柱状の状態に維持されることとなり、収納に容易な状態となる。【００９０】  一方、図８（ｂ）に示すとおり、補助柱つまみ部１６がスライド制御用溝部１７の上側にあるときが当該昇降具Ｌの使用時である。このとき、支柱１０に対して補助柱１１は相対的に少し押し上げられるわけであるから、図９（ｂ）に示すとおり、補助柱１１にある各々の補助柱突起部２６は、いずれも支柱１０の各々の溝部分１５の下端から少し浮いた位置（上側）に来る。この結果、補助柱突起部２６は蝶番部２５に結合されているワイヤー２７を引っ張る。引っ張ることにより、蝶番部２５には足掛け部２０が前記補助柱１１から遠ざかる方向（外向き）に回転力がかかる。この結果、足掛け部２０は補助柱１１から遠ざかる方向（外向き）に回転し、支柱１０や補助柱１１に対してほぼ垂直な位置まで回転し、かつ、当該支柱１０や補助柱１１の外側へ向けて開くこととなる。このとき、支柱１０を正面からみたときの右側の足掛け部２０は右側に、左側の足掛け部２０は左側に開くため、支柱１０を中心として両側に、足掛け部２０が水平方向にセットされることとなる。【００９１】  このようにして、足掛け部２０がセットされたならば、当該昇降具Ｌは使用時の状態となり、使用者はこの足掛け部２０に手や足などをかけ昇降できることとなる。【００９２】  一方、使用者が再び、補助柱つまみ部１６を下側に移動させた場合は、再び支柱１０と補助柱１１の位置関係がスライドすることとなる。これにより、再び当該昇降具Ｌは折り畳み時の状態になり、前記足掛け部２０は折り畳まれ、図８（ａ）及び図９（ａ）に示される折り畳み状態へ再び遷移することとなる。【００９３】  また、本実施例４における、電気ワイヤー式では図１０のような構造をとる。図１０において２４はリレーであり、このリレー２４は支柱１０の溝部分１５と１対１の関係で設けられている。そしてこのリレー２４にはワイヤー２７の一端がそれぞれ設置かつ固定されている。そしてこのリレー２４の脇には図示しないメカスイッチがついているとともに、この図示しないメカスイッチ、図示しない制限抵抗、及びリレー２４は図示しない電源と接続され、電気回路を形成している。また補助柱１１には、メカスイッチに対応して図示しないスイッチ用突起部が設けられており、この図示しないスイッチ用突起部が上下することにより、上記メカスイッチが切り替わる。図示しないスイッチ用突起部が下がるときと上がるときでは、当該リレー２４に流れる電流の向きは入れ替わり、図示しないスイッチ用突起部が下がるときにはリレー２４の動作によりワイヤー２７を押し出す方向へ電流が流れ、図示しないスイッチ用突起部が上がるときにはリレー２４の動作によりワイヤー２７が引っ張られる方向へ電流が流れる。【００９４】  一方、足掛け部２０は蝶番部２５を介して回動可能な状態で結合されているが、この足掛け部２０は支柱１０との間で結合される点が上記本発明の実施例４における上記機構ワイヤー式と共通する点である。そしてその蝶番部２５はワイヤー２７と結合されている点も、本実施例４の機構ワイヤー式と共通する点である。ワイヤー２７が支柱１０の内側へ引っ張られると、蝶番部２５は足掛け部２０が外側へ回転して開く方向へ動く。また、足掛け部２０のスムーズな動きを確保するため、足掛け部２０の先端は丸みを帯びた形状となっている。【００９５】  以上の構成をもって、本実施例４における電気ワイヤー式では次のように使用される。今、図８（ａ）に示すとおり、補助柱つまみ部１６がスライド制御用溝部１７の下側にあるときが当該昇降具Ｌの折り畳み時である。折り畳み時には足掛け部２０は支柱１０の溝部分１５の中に収納された形となっている。このとき、図１０（ａ）に示すとおり、補助柱１１にある図示しない各々のスイッチ用突起部は、いずれも支柱１０の各々の溝部分１５の下端にある（下がる）。この結果、図示しないスイッチ用突起部は上記メカスイッチを動作させ、リレー２４を動作させる。これにより、リレー２４は蝶番部２５に結合されているワイヤー２７を押し出す。押し出すことにより、蝶番部２５には足掛け部２０が前記補助柱１１へ向かう方向（内向き）に回転力がかかる。この結果、足掛け部２０は補助柱１１へ向かう方向（内向き）に回転し、支柱１０や補助柱１１とほぼ平行な位置まで回転し、支柱１０や補助柱１１の高さ方向かつ上向きに向くので、支柱１０に設けられた溝部分１５に当該足掛け部２０は収納される。よってこのとき、支柱１０の溝部分１５を外からみると前記���掛け部２０が収納されたところが見えることとなる。【００９６】  このときは、当該昇降具Ｌは折り畳み時の状態、すなわち、外形は概ね支柱１０の外形に近い柱状の状態に維持されることとなり、収納に容易な状態となる。【００９７】  一方、図８（ｂ）に示すとおり、補助柱つまみ部１６がスライド制御用溝部１７の上側にあるときが当該昇降具Ｌの使用時である。このとき、支柱１０に対して補助柱１１は相対的に少し押し上げられるわけであるから、図１０（ｂ）に示すとおり、補助柱１１にある図示しない各々のスイッチ用突起部は、いずれも支柱１０の各々の溝部分１５の下端から少し浮いた位置（上側）に来る（上がる）。この結果、図示しないスイッチ用突起部は蝶番部２５に結合されているワイヤー２７を引っ張る。引っ張ることにより、蝶番部２５には前記補助柱１１から足掛け部２０が遠ざかる方向（外向き）に回転力がかかる。この結果、足掛け部２０は補助柱１１から遠ざかる方向（外向き）に回転し、支柱１０や補助柱１１に対してほぼ垂直な位置まで回転し、かつ、当該支柱１０や補助柱１１の外側へ向けて開くこととなる。このとき、支柱１０を正面からみたときの右側の足掛け部２０は右側に、左側の足掛け部２０は左側に開くため、支柱１０を中心として両側に、足掛け部２０が水平方向にセットされることとなる。【００９８】  このようにして、足掛け部２０がセットされたならば、当該昇降具Ｌは使用時の状態となり、使用者はこの足掛け部２０に手や足などをかけ昇降できることとなる。【００９９】  一方、使用者が再び、補助柱つまみ部１６を下側に移動させた場合は、再び支柱１０と補助柱１１の位置関係がスライドすることとなる。これにより、再び当該昇降具Ｌは折り畳み時の状態になり、前記足掛け部２０は折り畳まれ、図８（ａ）及び図１０（ａ）に示される折り畳み状態へ再び遷移することとなる。【０１００】  このように、本発明の実施例４においては、機構ワイヤー式においても電気ワイヤー式においても補助柱つまみ部１６をスライドさせることにより、支柱１０と補助柱１１の位置関係をスライドさせることにより、直接機構的に、または、電気に一度変換した後、ワイヤー２７を押し出し、または引っ張ることにより、ワイヤー２７と結合された蝶番部２５を通じて足掛け部２０の収納や引き出し（セット）を実現しているのである。【０１０１】  尚、本発明の実施例４においては、図示しないメカスイッチは１つだけ設置し、これをすべてのリレー２４と接続し、当該図示しないメカスイッチを補助柱つまみ部１６のスライドに対し連動させる方法ととっても実現できる。この方法であっても構わない。  また、本発明の実施例４においても上述のとおり、補助柱つまみ部１６には鍵穴１８が設置されていて、この鍵穴１８に図示しない鍵を差込み、鍵を回転させると、補助柱１１と支柱１０をロックする。これにより、当該昇降具Ｌの折り畳み時に鍵をかけると外形は概ね支柱１０の外形に近い柱状の状態、すなわち収納に容易な状態（折り畳み状態）でロックされる。これにより、当該鍵穴１８に合致する鍵をもっている人しか当該昇降具Ｌを使用時の状態へセットすることができない。また、使用時に鍵をかけると使用時の状態でロックされ��ため、安定な状態で使用することができる。【０１０２】  尚、上記実施例４においては、正方形または長方形を底面とするものを挙げたが、底面が円形やその他の形状であっても本発明が成立しうることは言うまでもない。【０１０３】  また、上記実施例４においては、ワイヤー２７と蝶番部２５の結合関係により、押し出しと引っ張りによる、折り畳み（収納）と引き出し（セット）の関係が逆になる場合も考えられるがこれも本発明の範囲内である。【０１０４】  以上、本発明の実施例４によれば、本発明の実施例２や実施例３等と同様な効果が得られ、非常に有益である。
【実施例５】
【０１０５】  図１１は、本発明の実施例５における昇降具の外観及び構造を示す図である。図においてそれぞれＬは昇降具であり、当該１０は支柱であり、２０は足掛け部である。これらは上述した本発明の実施例１から本発明の実施例４によって発明として開示した昇降具Ｌである。【０１０６】  本発明の実施例５においては、当該昇降具Ｌの足掛け部２０の先端に嵌合部２０ａまたは２０ｂが設けられている点が特徴的である。本実施例５においては図１１（ｂ）に示すように当該昇降具Ｌの支柱１０に対して図面向かって左側の足掛け部２０には先端に凸型の嵌合部２０ａが設けられており、図面向かって右側の足掛け部２０には先端に凹型の嵌合部２０ｂが設けられている。これにより図１１（ｃ）や（ａ）が示すように昇降具Ｌの支柱１０に対して図面向かって右側の足掛け部２０と他の昇降具Ｌの支柱１０に対して図面向かって左側の足掛け部２０とが嵌合部２０ａ及び２０ｂによって結合され、これらは一体となることが可能となる。【０１０７】  このように一体となった場合の外観は図１１（ａ）に示すとおりであるが、まず２つの本発明による昇降具Ｌを結合させたものが図の実線部分である。このように結合すれば、真ん中の２本の支柱を含んでその内側の部分は従来の梯子の形状をしており、結果、本昇降具Ｌを２本使用すれば、効率的な収納が可能といった本発明の実施例１から４までの効果のみならず、従来の梯子としても使用できるという効果を奏する。【０１０８】  また、図１１（ａ）の点線部で示したように、本発明の実施例５によれば、当該昇降具Ｌを無限に連結しうることとなる。これにより、収納時はコンパクトでありながら、多人数が同時に昇降動作を行うことができ、また多くの人々の避難動作等が可能となり、安全面からも大いなるメリットを有することとなる。また、この使用形態により、一種の運動場等にある遊具としての利用価値も生みうることとなる。【０１０９】  尚、本発明の実施例５においては凹と凸の嵌合部で嵌合を行う例を示したが、本発明の効果を奏し、かつ嵌合が可能ならば他の種類の公知の嵌合部で嵌合を行っても構わない。また支柱１０を通じて左右の足掛け部２０の先端が同じ形の公知の嵌合部で嵌合を行っても構わない。いずれも本発明の範囲内である。【０１１０】  以上、本発明の実施例５によれば、きわめて有益な技術を提供することが可能となる。
【他の実施例】
【０１１１】  以上、本発明の実施例１から実施例５まで説明してきたが、本発明の技術的思想の範囲内であれば他の例であっても本発明の範囲内である。
【図面の簡単な説明】
【０１１２】
【図１】は、本発明の実施例１における昇降具の外観を示す図である。
【図２】は、本発明の実施例１における昇降具の構造を示す図である。
【図３】は、本発明の実施例２における昇降具の外観を示す図である（引き上げ型）。
【図４】は、本発明の実施例２における昇降具の外観を示す図である（押し下げ型）。
【図５】は、引き上げ型、押し下げ型共通の、本発明の実施例２における昇降具の構造を示す図である。
【図６】は、本発明の実施例３における昇降具の外観を示す図である。
【図７】は、本発明の実施例３における昇降具の構造を示す図である。
【図８】は、機構ワイヤー式、電気ワイヤー式共通の、本発明の実施例４における昇降具の外観を示す図である。
【図９】は、本発明の実施例４における機構ワイヤー式の昇降具の構造を示す図である。
【図１０】は、本発明の実施例４における電気ワイヤー式の昇降具の構造を示す図である。
【図１１】は、本発明の実施例５における昇降具の外観及び構造を示す図である。
【符号の説明】
【０１１３】Ｌ  昇降具１０  支柱１１  補助柱１５  溝部分１６  補助柱つまみ部１７  スライド制御用溝部１８  鍵穴１９  補助柱溝部分２０  足掛け部２０ａ  嵌合部２０ｂ  嵌合部２４  リレー２５  蝶番部２６  補助柱突起部２７  ワイヤー
【図１】
2007138676.tif 000003
【図２】
2007138676.tif 000004
【図３】
2007138676.tif 000005
【図４】
2007138676.tif 000006
【図５】
2007138676.tif 000007
【図６】
2007138676.tif 000008
【図７】
2007138676.tif 000009
【図８】
2007138676.tif 000010
【図９】
2007138676.tif 000011
【図１０】
2007138676.tif 000012
【図１１】
2007138676.tif 000013